(57)【特許請求の範囲】
【請求項１】
任意の場所に設置される据え置き型の公衆端末と、話者が所持する携帯端末と、を含む公衆テレビ電話システムであって、
前記公衆端末は、撮像カメラと、映像を表示する表示装置と、を有し、前記携帯端末と接続可能とされ、
前記携帯端末は、相手方と通話が可能な独自の音声入出力機器を有しており、
前記携帯端末を前記公衆端末に接続することにより、前記音声入出力機器により通話しながら、前記撮像カメラにより話者を撮影するとともに前記表示装置により相手方の映像の表示を見ることができることを特徴とする公衆テレビ電話システム。
【請求項２】
撮像カメラと映像を表示する表示装置とを有し任意の場所に設置される据え置き型の公衆端末と接続可能であり、相手方と通話が可能な独自の音声入出力機器を有し話者が所持する携帯端末であって、
前記携帯端末を前記公衆端末に接続することにより、前記音声入出力機器により通話しながら、前記撮像カメラにより話者を撮影するとともに前記表示装置により相手方の映像の表示を見ることができることを特徴とする携帯端末。
【請求項３】
基地局との送受信電波と送受信データとに変復調する変復調手段と、該送受信データと画像データ及び音声データとに多重／分離する多重／分離手段と、該音声データと音声信号とに符号化／復号する音声コーデック手段と、音声を該音声信号として入出力する音声入出力手段と、前記画像データを入出力する携帯端末側画像データ入出力手段と、を有する請求項２に記載の携帯端末。
【請求項４】
相手方と通話が可能な独自の音声入出力機器を有し話者が所持する携帯端末と接続可能であり、任意の場所に設置される据え置き型の公衆端末であって、
撮像カメラと、映像を表示する表示装置と、を有し、
前記携帯端末を前記公衆端末に接続することにより、前記音声入出力機器により通話しながら、前記撮像カメラにより話者を撮影するとともに前記表示装置により相手方の映像の表示を見ることができることを特徴とする公衆端末。
【請求項５】
画像データを入出力する公衆端末側画像データ入出力手段と、前記画像データと画像信号とに符号化／復号する画像コーデック手段と、画像を該画像信号として入出力する画像入出力手段と、を有することを特徴とする請求項４に記載の公衆端末。
【請求項６】
請求項２又は３に記載の携帯端末であって、撮影カメラを有さず、相手方と通話が可能な独自の音声入出力機器を有していることを特徴とする携帯端末。
【発明の詳細な説明】
【０００１】
【発明の属する技術分野】
本発明は、画像信号と音声信号を、無線で送受信するテレビ電話機に関するものである。
【０００２】
【従来の技術】
従来、無線で行うテレビ電話装置は、音声部と画像部と一体化した構造となっていて、話者の音声通話部と画像表示部が話者の顔の近くにあった。
【０００３】
【発明が解決しようとする課題】
しかし、話者以外の人が話者と同時にテレビ電話画像を見ようとした場合、画像表示部が話者の顔の近くにあるため見にくく不便であった。
また、表示画面のサイズはその構造上小さく、大きくすれば画面は見やすくなるが、無線テレビ電話全体のサイズも大きくなり、携帯性の面で持ち運びし難くなる。
【０００４】
本発明の目的は、画像又は画像と音声両方の入出力機器を携帯端末より分離して、公衆端末とし据え置き型にする。利用者は携帯端末のみを持ち歩くことで、無線テレビ電話の特徴である持ち運びが自由である長所を生かしつつ、また画像入出力機器を公衆端末側として、画面サイズの大型化を図り、表示部の見やすさ、使い勝手の向上を図る。
【０００５】
【課題を解決するための手段】
本発明の携帯用公衆テレビ電話システムは、画像信号と音声信号とを無線で送受信するものであって、基地局との送受信電波と送受信データとに変復調する変復調手段と、該送受信データと画像データ及び音声データとに多重／分離する多重／分離手段と、該音声データと音声信号とに符号化／復号する音声コーデック手段と、音声を該音声信号として入出力する音声入出力手段と、前記画像データを入出力する携帯端末側画像データ入出力手段と、を有する携帯用公衆テレビ電話携帯端末、及び、前記画像データを入出力する公衆端末側画像データ入出力手段と、前記画像データと画像信号とに符号化／復号する画像コーデック手段と、画像を該画像信号として入出力する画像入出力手段と、を有する携帯用公衆テレビ電話公衆端末である。
【０００６】
また、本発明の携帯用公衆テレビ電話システムは、画像信号と音声信号とを無線で送受信するものであって、基地局との送受信電波と送受信データとに変復調する変復調手段と、該送受信データを入出力する携帯端末側送受信データ入出力手段と、を有する携帯用公衆テレビ電話携帯端末、及び、前記送受信データを入出力する公衆端末側送受信データ入出力手段と、前記送受信データと画像データ及び音声データとに多重／分離する多重／分離手段と、該画像データと画像信号とに符号化／復号する画像コーデック手段と、画像を該画像信号として入出力する画像入出力手段と、前記音声データと音声信号とに符号化／復号する音声コーデック手段と、音声を該音声信号として入出力する音声入出力手段と、を有する携帯用公衆テレビ電話公衆端末である。
【０００７】
さらに、前記画像データ入出力手段又は送受信データ入出力手段が有線で接続するものであることが、簡単な構成とすることができる点で好ましい。
また、前記画像データ入出力手段又は送受信データ入出力手段が無線で接続するものであることが、接続コードを必要としないため操作性が良い点で好ましい。
以上の通り、本発明においては、携帯性の制約となる画像部又は画像部と音声部両方を携帯端末から分離して、公衆端末側に含めることにより、話者は小型かつ持ち運びに便利である携帯端末を持ち運びするだけで、テレビ電話の機能を利用することができる。
【０００８】
【発明の実施の形態】
図１から図４は本発明を実施した公衆テレビ電話端末の機能ブロック図を示し、図５から図８は本発明を実施した公衆テレビ電話端末の外観図を示す。
図１に示した公衆テレビ電話端末は、大きく分けて公衆端末１と携帯端末２の２つに分けられ、有線によって公衆端末１と携帯端末２の接続を行う。
公衆端末１は、ビデオ入出力機器３、画像Ｉ／Ｆ  ４、画像コーデック５、公衆端末制御部６から構成される。
【０００９】
以下に公衆端末１内の各ブロックについての説明を行う。
ビデオ入出力機器３は話者を撮像するための撮像装置（カメラ）及び相手を表示するための表示装置（モニタ）である。画像Ｉ／Ｆ  ４はビデオ入出力機器３からの画像信号を入力し、またビデオ出力機器３への画像信号を出力するためのものである。画像コーデック５は、入力画像信号を送信画像データへと符号化し、また受信画像データを出力画像信号へと復号するためのものである。公衆端末制御部６は、公衆端末１の統括的な制御を行うものである。
携帯端末２は、送受信アンテナ７、電磁波送受信部８、多重／分離部９、音声コーデック１０、音声Ｉ／Ｆ  １１、音声入出力機器１２、携帯端末制御部１３で構成される。
【００１０】
以下に携帯端末２内の各ブロックについての説明を行う。
送受信アンテナ７は、基地局からの電波を受け、また基地局へ電波を送るためのものである。電磁波送受信部８は、送受信アンテナ７で受けた電波信号を電気信号に変換して受信多重データとし、また送信多重データを電気信号から電波信号に変換して送受信アンテナ７へ送るためのものである。多重／分離部９は、送信画像データ及び送信音声データを多重化して送信多重データとして電磁波送受信部８へ送り、また電磁波送受信部８からの受信多重データを分離して受信画像データ及び受信音声データとするためのものである。音声コーデック１０は、入力音声信号を送信音声データへと符号化し、また受信音声データを出力音声信号へと復号するためのものである。音声Ｉ／Ｆ  １１は音声入力機器１２からの音声信号を入力し、また音声出力機器１２への音声信号を出力するためのものである。音声入出力機器１２は話者が相手と会話する時に用いるスピーカ及びマイクである。携帯端末制御部１３は、携帯端末２の統括的な制御を行うものである。
【００１１】
つぎに、図１における公衆テレビ電話端末の動作を説明する。
図１に示す公衆テレビ電話端末は、話者が所持する携帯端末を、任意の場所に設置した公衆端末に有線で接続することにより、テレビ電話として機能する。
公衆テレビ電話端末において、まず公衆端末１のビデオ入出力機器３である撮像カメラによって話者が撮影される。撮像カメラからの画像信号は画像Ｉ／Ｆ  ４を通って、画像コーデック５へ入力される。画像コーデック５において、画像信号は送信画像データに符号化される。送信画像データは、公衆端末１から携帯端末２へ有線ケーブルにて送られる。
【００１２】
送信画像データは、携帯端末２内多重／分離部９にて送信音声データと多重化されて、送信多重データとして電磁波送受信部８に送られる。送信音声データは携帯端末２の音声入出力機器１２であるマイクからのものである。マイクからの音声信号は音声Ｉ／Ｆ  １１を通って、音声コーデック１０へ入力される。音声コーデック１０において、音声信号は送信音声データに符号化される。
送信多重データは、電磁波送受信部８において電気信号から電波信号に変換して、送受信アンテナ７から基地局に電波として送られる。
【００１３】
公衆テレビ電話端末は、また基地局から送られてきた電波を携帯端末２の送受信アンテナ７にて受信し、電磁波送受信部８において電波信号から電気信号に変換して、受信多重データを生成する。受信多重データは多重／分離部９に送られ、受信画像データと受信音声データに分離される。
受信画像データは、携帯端末２から公衆端末１へ有線ケーブルにて送られる。
受信画像データは、公衆端末１内画像コーデック５にて画像信号に復号される。復号された画像信号は画像Ｉ／Ｆ  ４を通して、ビデオ入出力機器３のモニタへと出力される。
【００１４】
受信音声データは、携帯端末２内音声コーデック１０にて音声信号に復号される。復号された音声信号は音声Ｉ／Ｆ  １１を通して、音声入出力機器１２のスピーカへと出力される。
図５に上記図１に示す公衆テレビ電話端末の外観図を示す。
話者は、公衆端末１上のモニタ３ｂで相手画像を見ながら、携帯端末２上のマイク１２ａで話す。自画像は公衆端末１上のカメラ３ａで撮影され、相手の声は携帯端末２上のスピーカ１２ｂを通して聞く。
【００１５】
図２に示した公衆テレビ電話端末は、大きく分けて公衆端末２１と携帯端末２２の２つに分けられ、有線によって公衆端末２１と携帯端末２２の接続を行う。公衆端末２１は、ビデオ入出力機器２３、画像Ｉ／Ｆ  ２４、画像コーデック２５、音声入出力機器２６、音声Ｉ／Ｆ  ２７、音声コーデック２８、多重／分離部２９及び公衆端末制御部３０から構成される。
【００１６】
以下に公衆端末２１内の各ブロックについての説明を行う。
ビデオ入出力機器２３は話者を撮像するための撮像装置（カメラ）及び相手を表示するための表示装置（モニタ）である。画像Ｉ／Ｆ  ２４はビデオ入出力機器２３からの画像信号を入力し、またビデオ出力機器２３への画像信号を出力するためのものである。画像コーデック２５は、入力画像信号を送信画像データへと符号化し、また受信画像データを出力画像信号へと復号するためのものである。音声入出力機器２６は話者が相手と会話する時に用いるスピーカ及びマイクである。音声Ｉ／Ｆ  ２７は音声入力機器２６からの音声信号を入力し、また音声出力機器２６へ音声信号を出力するためのものである。音声コーデック２８は、入力音声信号を送信音声データへと符号化し、また受信音声データを出力音声信号へと復号するためのものである。多重／分離部２９は、送信画像データ及び送信音声データを多重化して送信多重データとして携帯端末内電磁波送受信部３２へ送り、また電磁波送受信部３２からの受信多重データを分離して受信画像データ及び受信音声データとするためのものである。公衆端末制御部３０は、公衆端末２１の統括的な制御を行うものである。
【００１７】
携帯端末２２は、送受信アンテナ３１、電磁波送受信部３２、音声入出力機器３３、携帯端末制御部３４で構成される。
以下に携帯端末２２内の各ブロックについての説明を行う。
送受信アンテナ３１は、基地局からの電波を受け、また基地局へ電波を送るためのものである。電磁波送受信部３２は、送受信アンテナ３１で受けた電波信号を電気信号に変換して受信多重データとし、また送信多重データを電気信号から電波信号に変換して送受信アンテナ３１へ送るためのものである。音声入出力機器３３は話者が相手と会話する時に用いるスピーカ及びマイクである。携帯端末制御部３４は、携帯端末２２の統括的な制御を行うものである。
【００１８】
つぎに、図２における公衆テレビ電話端末の動作を説明する。
図２に示す公衆テレビ電話端末は、話者が所持する携帯端末を、任意の場所に設置した公衆端末に有線で接続することにより、テレビ電話として機能する。
公衆テレビ電話端末において、まず公衆端末２１のビデオ入出力機器２３である撮像カメラによって話者が撮影される。撮像カメラからの画像信号は画像Ｉ／Ｆ  ２４を通って、画像コーデック２５へ入力される。画像コーデック２５において、画像信号は送信画像データに符号化される。公衆端末２１の音声入出力機器２６であるマイクからの音声信号は音声Ｉ／Ｆ  ２７を通って、音声コーデック２８へ出力される。音声コーデック２８において、音声信号は送信音声データに符号化される。
【００１９】
送信画像データ及び送信音声データは、公衆端末２１内多重／分離部２９にて多重化されて、送信多重データとして携帯端末２２内電磁波送受信部３２に送られる。送信多重データは、公衆端末２１から携帯端末２２へ有線ケーブルにて送られる。送信多重データは、携帯端末２２内電磁波送受信部３２において電気信号から電波信号に変換され、送受信アンテナ３１から基地局に電波として送られる。
公衆テレビ電話端末は、また基地局から送られてきた電波を携帯端末２２の送受信アンテナ３１にて受信し、電磁波送受信部３２において電波信号から電気信号に変換して、受信多重データを生成する。
【００２０】
受信多重データは、携帯端末２２から公衆端末２１へ有線ケーブルにて送られる。受信多重データは公衆端末２１内多重／分離部２９に送られ、受信画像データと受信音声データに分離される。
受信画像データは、公衆端末２１内画像コーデック２５にて画像信号に復号される。復号された画像信号は画像Ｉ／Ｆ  ２４を通して、ビデオ入出力機器２３のモニタへと出力される。
受信音声データは、公衆端末２１内音声コーデック２８にて音声信号に復号される。復号された音声信号は音声Ｉ／Ｆ  ２７を通して、音声入出力機器２６のスピーカへと出力される。
【００２１】
図６に上記図２に示す公衆テレビ電話端末の外観図を示す。
話者は、公衆端末２１上のモニタ２３ｂで相手画像を見ながら、公衆端末２１上のマイク２６ａで話す。自画像は公衆端末２１上のカメラ２３ａで撮影され、相手の声は公衆端末２１上のスピーカ２６ｂを通して聞く。
なお、携帯端末２２は独自に音声入出力機器を持っているので、携帯端末２２のみで携帯電話として使用できる。
【００２２】
図３に示した公衆テレビ電話端末は、大きく分けて公衆端末４１と携帯端末４２の２つに分けられ、無線によって公衆端末４１と携帯端末４２の接続を行う。
公衆端末４１は、ビデオ入出力機器４３、画像Ｉ／Ｆ  ４４、画像コーデック４５、公衆端末制御部４６及び無線送受信部５５から構成される。
【００２３】
以下に公衆端末４１内の各ブロックについての説明を行う。
ビデオ入出力機器４３は話者を撮像するための撮像装置（カメラ）及び相手を表示するための表示装置（モニタ）である。画像Ｉ／Ｆ  ４４はビデオ入出力機器４３からの画像信号を入力し、またビデオ出力機器４３への画像信号を出力するためのものである。画像コーデック４５は、入力画像信号を送信画像データへと符号化し、また受信画像データを出力画像信号へと復号するためのものである。無線送受信部５５は携帯端末４２に対して、送信画像データを無線で送受信するためのものである。公衆端末制御部４６は、公衆端末４１の統括的な制御を行うものである。
携帯端末４２は、送受信アンテナ４７、電磁波送受信部４８、多重／分離部４９、音声コーデック５０、音声Ｉ／Ｆ  ５１、音声入出力機器５２、携帯端末制御部５３、無線送受信部５４で構成される。
【００２４】
以下に携帯端末４２内の各ブロックについての説明を行う。
送受信アンテナ４７は、基地局からの電波を受け、また基地局へ電波を送るためのものである。電磁波送受信部４８は、送受信アンテナ４７で受けた電波信号を電気信号に変換して受信多重データとし、また送信多重データを電気信号から電波信号に変換して送受信アンテナ４７へ送るためのものである。多重／分離部４９は、送信画像データ及び送信音声データを多重化して送信多重データとして電磁波送受信部４８へ送り、また電磁波送受信部４８からの受信多重データを分離して受信画像データ及び受信音声データとするためのものである。音声コーデック５０は、入力音声信号を送信音声データへと符号化し、また受信音声データを出力音声信号へと復号するためのものである。音声Ｉ／Ｆ  ５１は音声入力機器５２からの音声信号を入力し、また音声出力機器５２への音声信号を出力するためのものである。音声入出力機器５２は話者が相手と会話する時に用いるスピーカ及びマイクである。無線送受信部５４は公衆端末４１に対して、送受信画像データを無線で送受信するためのものである。携帯端末制御部５３は、携帯端末４２の統括的な制御を行うものである。
【００２５】
つぎに、図３における公衆テレビ電話端末の動作を説明する。
図３に示す公衆テレビ電話端末は、話者が所持する携帯端末を、任意の場所に設置した公衆端末に無線で接続することにより、テレビ電話として機能する。
公衆テレビ電話端末において、まず公衆端末４１のビデオ入出力機器４３である撮像カメラによって話者が撮影される。撮像カメラからの画像信号は画像Ｉ／Ｆ  ４４を通って、画像コーデック４５へ入力される。画像コーデック４５において、画像信号は送信画像データに符号化される。送信画像データは、無線送受信部５５にて光又は電磁波に変調され、公衆端末４１から携帯端末４２へ無線にて送られる。
【００２６】
公衆端末４１内無線送受信部５５から送出された光又は電磁波は、携帯端末４２内無線送受信部５４にて受けられ、復調されて送信画像データに戻される。
送信画像データは、携帯端末４２内多重／分離部４９にて送信音声データと多重化されて、送信多重データとして電磁波送受信部４８に送られる。送信音声データは携帯端末４２の音声入出力機器５２であるマイクからのものである。マイクからの音声信号は音声Ｉ／Ｆ  ５１を通って、音声コーデック５０へ入力される。音声コーデック５０において、音声信号は送信音声データに符号化される。
送信多重データは、電磁波送受信部４８において電気信号から電波信号に変換して、送受信アンテナ４７から基地局に電波として送られる。
【００２７】
公衆テレビ電話端末は、また基地局から送られてきた電波を携帯端末４２の送受信アンテナ４７にて受信し、電磁波送受信部４８において電波信号から電気信号に変換して、受信多重データを生成する。受信多重データは多重／分離部４９に送られ、受信画像データと受信音声データに分離される。
受信画像データは、携帯端末４２内無線送受信部５４からから公衆端末４１内無線送受信部５５へ無線にて送られる。
【００２８】
受信画像データは、公衆端末４１内画像コーデック４５にて画像信号に復号される。復号された画像信号は画像Ｉ／Ｆ  ４４を通して、ビデオ入出力機器４３のモニタへと出力される。
受信音声データは、携帯端末４２内音声コーデック５０にて音声信号に復号される。復号された音声信号は音声Ｉ／Ｆ  ５１を通して、音声入出力機器５２のスピーカへと出力される。
【００２９】
図７に上記図３に示す公衆テレビ電話端末の外観図を示す。
話者は、公衆端末４１上のモニタ４３ｂで相手画像を見ながら、携帯端末４２上のマイク５２ａで話す。自画像は公衆端末４１上のカメラ４３ａで撮影され、相手の声は携帯端末４２上のスピーカ５２ｂを通して聞く。
図４に示した公衆テレビ電話端末は、大きく分けて公衆端末６１と携帯端末６２の２つに分けられ、無線によって公衆端末６１と携帯端末６２の接続を行う。
公衆端末６１は、ビデオ入出力機器６３、画像Ｉ／Ｆ  ６４、画像コーデック６５、音声入出力機器６６、音声Ｉ／Ｆ  ６７、音声コーデック６８、多重／分離部６９及び公衆端末制御部７０及び無線送受信部７６から構成される。
【００３０】
以下に公衆端末６１内の各ブロックについての説明を行う。
ビデオ入出力機器６３は話者を撮像するための撮像装置（カメラ）及び相手を表示するための表示装置（モニタ）である。画像Ｉ／Ｆ  ６４はビデオ入出力機器６３からの画像信号を入力し、またビデオ出力機器６３への画像信号を出力するためのものである。画像コーデック６５は、入力画像信号を送信画像データへと符号化し、また受信画像データを出力画像信号へと復号するためのものである。音声入出力機器６６は話者が相手と会話する時に用いるスピーカ及びマイクである。音声Ｉ／Ｆ  ６７は音声入力機器６６からの音声信号を入力し、また音声出力機器６６へ音声信号を出力するためのものである。音声コーデック６８は、入力音声信号を送信音声データへと符号化し、また受信音声データを出力音声信号へと復号するためのものである。多重／分離部６９は、送信画像データ及び送信音声データを多重化して送信多重データとして無線送受信部７６へ送り、また無線送受信部７６からの受信多重データを分離して受信画像データ及び受信音声データとするためのものである。公衆端末制御部７０は、公衆端末６１の統括的な制御を行うものである。
携帯端末６２は、送受信アンテナ７１、電磁波送受信部７２、音声入出力機器７３、携帯端末制御部７４及び無線送受信部７５で構成される。
【００３１】
以下に携帯端末６２内の各ブロックについての説明を行う。
送受信アンテナ７１は、基地局からの電波を受け、また基地局へ電波を送るためのものである。電磁波送受信部７２は、送受信アンテナ７１で受けた電波信号を電気信号に変換して受信多重データとし、また送信多重データを電気信号から電波信号に変換して送受信アンテナ７１へ送るためのものである。音声入出力機器７３は話者が相手と会話する時に用いるスピーカ及びマイクである。携帯端末制御部７４は、携帯端末６２の統括的な制御を行うものである。
【００３２】
つぎに、図４における公衆テレビ電話端末の動作を説明する。
図４に示す公衆テレビ電話端末は、話者が所持する携帯端末を、任意の場所に設置した公衆端末に有線で接続することにより、テレビ電話として機能する。
公衆テレビ電話端末において、まず公衆端末６１のビデオ入出力機器６３である撮像カメラによって話者が撮影される。撮像カメラからの画像信号は画像Ｉ／Ｆ  ６４を通って、画像コーデック６５へ入力される。画像コーデック６５において、画像信号は送信画像データに符号化される。公衆端末６１の音声入出力機器６６であるマイクからの音声信号は音声Ｉ／Ｆ  ６７を通って、音声コーデック６８へ出力される。音声コーデック６８において、音声信号は送信音声データに符号化される。
【００３３】
送信画像データ及び送信音声データは、公衆端末６１内多重／分離部６９にて多重化されて、送信多重データとして無線送受信部７６に送られる。送信多重データは、無線送受信部７６にて光又は電磁波に変調され、公衆端末６１から携帯端末６２へ無線にて送られる。公衆端末６１内無線送受信部７６から送出された光又は電磁波は、携帯端末６２内無線送受信部７５にて受けられ、復調されて送信多重データに戻される。送信多重データは、携帯端末６２内電磁波送受信部７２において電気信号から電波信号に変換され、送受信アンテナ７１から基地局に電波として送られる。
【００３４】
公衆テレビ電話端末は、また基地局から送られてきた電波を携帯端末６２の送受信アンテナ７１にて受信し、電磁波送受信部７２において電波信号から電気信号に変換して、受信多重データを生成する。
受信多重データは、携帯端末６２内無線送受信部７５から公衆端末６１内無線送受信部７６へ無線にて送られる。
受信多重データは、公衆端末６１内多重／分離部６９に送られ、受信画像データと受信音声データに分離される。
受信画像データは、公衆端末６１内画像コーデック６５にて画像信号に復号される。復号された画像信号は画像Ｉ／Ｆ  ６４を通して、ビデオ入出力機器６３のモニタへと出力される。
受信音声データは、公衆端末６１内音声コーデック６８にて音声信号に復号される。復号された音声信号は音声Ｉ／Ｆ  ６７を通して、音声入出力機器６６のスピーカへと出力される。
【００３５】
図８に上記図４に示す公衆テレビ電話端末の外観図を示す。
話者は、公衆端末６１上のモニタ６３ｂで相手画像を見ながら、公衆端末６１上のマイク６６ａで話す。自画像は公衆端末６１上のカメラ６３ａで撮影され、相手の声は公衆端末６１上のスピーカ６６ｂを通して聞く。
なお、携帯端末６２は独自に音声入出力機器を持っているので、携帯端末６２のみで携帯電話として使用できる。
【００３６】
【発明の効果】
したがって、本発明によれば携帯性の制約となる画像部又は画像部と音声部両方を携帯端末から分離することにより、話者は小型かつ持ち運びに便利である携帯端末を持ち運びするだけで済み、任意の場所に設置されている公衆機と接続することで、容易にテレビ電話として使用することができる。
【図面の簡単な説明】
【図１】本発明の機能ブロック図であって、携帯端末と公衆端末間を有線で接続し、多重／分離部が携帯端末側にある場合を説明する図である。
【図２】本発明の機能ブロック図であって、携帯端末と公衆端末間を有線で接続し、多重／分離部が公衆端末側にある場合を説明する図である。
【図３】本発明の機能ブロック図であって、携帯端末と公衆端末間を無線で接続し、多重／分離部が携帯端末側にある場合を説明する図である。
【図４】本発明の機能ブロック図であって、携帯端末と公衆端末間を無線で接続し、多重／分離部が公衆端末側にある場合を説明する図である。
【図５】図１に示す公衆テレビ電話端末の外観図である。
【図６】図２に示す公衆テレビ電話端末の外観図である。
【図７】図３に示す公衆テレビ電話端末の外観図である。
【図８】図４に示す公衆テレビ電話端末の外観図である。
【符号の説明】
１、２１、４１、６１            公衆端末
２、２２、４２、６２            携帯端末
３、２３、４３、６３            ビデオ入出力機器
３ａ、２３ａ、４３ａ、６３ａ    カメラ
３ｂ、２３ｂ、４３ｂ、６３ｂ    モニタ
４、２４、４４、６４            画像Ｉ／Ｆ
５、２５、４５、６５            画像コーデック
６、３０、４６、７０            公衆端末制御部
７、３１、４７、７１            送受信アンテナ
８、３２、４８、７２            電磁波送受信部
９、２９、４９、６９            多重／分離部
１０、２８、５０、６８          音声コーデック
１１、２７、５１、６７          音声Ｉ／Ｆ
１２、２６、５２、６６          音声入出力機器
１２ａ、２６ａ、５２ａ、６６ａ  マイク
１２ｂ、２６ｂ、５２ｂ、６６ｂ  スピーカ
１３、３４、５３、７４          携帯端末制御部
３３、７３                      音声入出力機器
５４、５５、７５、７６          無線送受信部
【図１】
0003630948.tif 000002
【図２】
0003630948.tif 000003
【図３】
0003630948.tif 000004
【図４】
0003630948.tif 000005
【図５】
0003630948.tif 000006
【図６】
0003630948.tif 000007
【図７】
0003630948.tif 000008
【図８】
0003630948.tif 000009